(57)【特許請求の範囲】
【請求項１】
断熱箱体内に貯蔵室を構成し、蓄冷剤の融解潜熱によって前記貯蔵室内を冷却して成る冷却貯蔵庫において、
前記貯蔵室内を複数室に区画する着脱可能な仕切板と、区画された各室それぞれに前記蓄冷剤にて冷却された冷気を供給するダクトと、前記各室それぞれの温度を調節する温度調節手段とを備えたことを特徴とする冷却貯蔵庫。
【請求項２】
温度調節手段は、仕切板にて区画された各室にそれぞれ冷気を供給するための送風機と、前記各室の温度をそれぞれ検出する温度検出手段と、これら温度検出手段の出力に基づいて前記各送風機の運転を制御する制御手段とを備えて構成されていることを特徴とする請求項１の冷却貯蔵庫。
【請求項３】
仕切板の有無を検出する仕切板検出手段を設け、制御手段は、この仕切板検出手段により検出される仕切板の有無により、制御方式を変更することを特徴とする請求項２の冷却貯蔵庫。
【請求項４】
制御手段は、仕切板が存在しない場合、何れかの温度検出手段の出力に基づいて貯蔵室内の温度調節を行なうことを特徴とする請求項３の冷却貯蔵庫。
【請求項５】
貯蔵室の背面に形成され、蓄冷剤と熱交換した冷気を貯蔵室に供給するための吐出ダクトと、この吐出ダクトに並設され、前記貯蔵室内の冷気を前記蓄冷剤に帰還させるための吸込ダクトとを備えたことを特徴とする請求項１、請求項２、請求項３又は請求項４の冷却貯蔵庫。
【請求項６】
貯蔵室の背面に形成され、蓄冷剤と熱交換した冷気を貯蔵室に供給するための吐出ダクトと、前記貯蔵室の側面に形成され、前記貯蔵室内の冷気を前記蓄冷剤に帰還させるための吸込ダクトとを備えたことを特徴とする請求項１、請求項２、請求項３又は請求項４の冷却貯蔵庫。
【発明の詳細な説明】
【０００１】
【発明の属する技術分野】
本発明は、蓄冷剤を用いて貯蔵室を低温に保つ冷却貯蔵庫に関する。
【０００２】
【従来の技術】
従来よりこの種冷却貯蔵庫は、例えば低温物品輸送システムにおいて用いられる。この物流システムにおいて、冷却貯蔵庫の輸送中は交流電源が使用できないため、冷却貯蔵庫にバッテリを搭載し、冷却貯蔵庫の断熱箱体内には蓄冷剤が配設され、この蓄冷剤の融解潜熱により冷却された冷気を前記バッテリから給電される直流（ＤＣ）送風機によって貯蔵室に循環し、冷却している。
【０００３】
また、貯蔵室内には、貯蔵室内の温度を検出する温度検出手段が設けられており、この温度検出手段の出力により貯蔵室内を所定の温度、即ち、冷凍または冷蔵の温度に冷却している。
【０００４】
しかしながら、上述の如く冷却貯蔵庫内は一つの温度帯しか設けられていないため、物品が少量であっても冷凍及び冷蔵の両者の物品がある場合には、冷凍用及び冷蔵用の二台の冷却貯蔵庫を配送手段に搭載しなければ成らなかった。
【０００５】
そこで、冷凍及び冷蔵の両者の物品を一台の冷却貯蔵庫にて収容するために、冷却貯蔵庫の貯蔵室内に仕切板を設け冷凍室及び冷蔵室を形成し、冷凍室内を前記蓄冷剤の融解潜熱によって冷却する冷却貯蔵庫がある。
【０００６】
【発明が解決しようとする課題】
しかしながら、従来の一つの温度帯のみの冷却貯蔵庫では、上述の如く物品が少量であっても冷凍及び冷蔵の両者の物品がある場合には、冷凍用及び冷蔵用の二台の冷却貯蔵庫を配送手段に搭載しなければならず、利便性に欠けていた。また、従来の二つの温度帯を有する冷却貯蔵庫では、固定された仕切板が設けられていたため、繁忙期などの一方の温度帯の物品のみを収納を希望する場合に、仕切板が邪魔となる問題があった。
【０００７】
そこで本発明は係る従来の課題を解決するために成されたものであり、一台の冷却貯蔵庫にて、貯蔵室内に二温度帯を形成することができると共に、使用目的に応じて貯蔵室内を一温度帯とすることができる冷却貯蔵庫を提供することを目的とするものである。
【０００８】
【課題を解決するための手段】
本発明は、断熱箱体内に貯蔵室を構成し、蓄冷剤の融解潜熱によって貯蔵室内を冷却して成るものであって、貯蔵室内を複数室に区画する着脱可能な仕切板と、区画された各室それぞれに蓄冷剤にて冷却された冷気を供給するダクトと、各室それぞれの温度を調節する温度調節手段とを備えたことを特徴とする。
【０００９】
本発明によれば、断熱箱体内に貯蔵室を構成し、蓄冷剤の融解潜熱によって貯蔵室内を冷却して成る冷却貯蔵庫において、貯蔵室内を複数室に区画する着脱可能な仕切板と、区画された各室に蓄冷剤にて冷却された冷気を供給するダクトと、各室の温度を調節する温度調節手段とを備えたので、貯蔵室内に異なる温度帯にて冷却を必要とする収納物を収納することができるようになる。
【００１０】
また、貯蔵室内を複数室に区画する仕切板は着脱可能とされているため、使用目的に応じて仕切板を取り外すことにより、目的の温度帯の室の収納空間を拡張することができるようになる。
【００１１】
請求項２の発明の冷却貯蔵庫は、請求項１の発明に加えて温度調節手段は、仕切板にて区画された各室にそれぞれ冷気を供給するための送風機と、各室の温度をそれぞれ検出する温度検出手段と、これら温度検出手段の出力に基づいて各送風機の運転を制御する制御手段とを備えて構成されていることを特徴とする。
【００１２】
請求項２の発明によれば、請求項１の発明に加えて温度調節手段は、仕切板にて区画された各室にそれぞれ冷気を供給するための送風機と、各室の温度をそれぞれ検出する温度検出手段と、これら温度検出手段の出力に基づいて各送風機の運転を制御する制御手段とを備えて構成されているので、各送風機の運転を制御することによって各室を目的の温度に設定することができるようになる。
【００１３】
請求項３の発明の冷却貯蔵庫は、請求項２の発明に加えて仕切板の有無を検出する仕切板検出手段を設け、制御手段は、この仕切板検出手段により検出される仕切板の有無により、制御方式を変更することを特徴とする。
【００１４】
請求項３の発明によれば、請求項２の発明に加えて仕切板の有無を検出する仕切板検出手段を設け、制御手段は、この仕切板検出手段により検出される仕切板の有無により、制御方式を変更するので、仕切板の有無に応じて各室の温度制御をすることができるようになる。
【００１５】
請求項４の発明の冷却貯蔵庫は、請求項３の発明に加えて制御手段は、仕切板が存在しない場合、何れかの温度検出手段の出力に基づいて貯蔵室内の温度調節を行なうことを特徴とする。
【００１６】
請求項４の発明によれば、請求項３の発明に加えて制御手段は、仕切板が存在しない場合、何れかの温度検出手段の出力に基づいて貯蔵室内の温度調節を行なうので、貯蔵室内には、一温度帯を形成することができるようになる。
【００１７】
請求項５の発明の冷却貯蔵庫は、請求項１、請求項２、請求項３又は請求項４の発明に加えて、貯蔵室の背面に形成され、蓄冷剤と熱交換した冷気を貯蔵室に供給するための吐出ダクトと、この吐出ダクトに並設され、貯蔵室内の冷気を蓄冷剤に帰還させるための吸込ダクトとを備えたことを特徴とする。
【００１８】
請求項５の発明によれば、請求項１、請求項２、請求項３又は請求項４の発明に加えて、貯蔵室の背面に形成され、蓄冷剤と熱交換した冷気を貯蔵室に供給するための吐出ダクトと、この吐出ダクトに並設され、貯蔵室内の冷気を蓄冷剤に帰還させるための吸込ダクトとを備えたので、蓄冷剤の融解潜熱によって生じる冷気を吐出ダクトから貯蔵室内に吐出し、貯蔵室内を循環した冷気を吸込ダクトから蓄冷剤に帰還させる冷気の循環を行なうことができるようになる。
【００１９】
これにより、各室に設けられた送風機の運転を制御することによって吐出ダクトから吐出される冷気が制御され、各室をそれぞれの設定の温度帯にすることができるようになる。
【００２０】
請求項６の発明の冷却貯蔵庫は、請求項１、請求項２、請求項３又は請求項４に加えて貯蔵室の背面に形成され、蓄冷剤と熱交換した冷気を貯蔵室に供給するための吐出ダクトと、貯蔵室の側面に形成され、貯蔵室内の冷気を蓄冷剤に帰還させるための吸込ダクトとを備えたことを特徴とする。
【００２１】
請求項６の発明によれば、請求項１、請求項２、請求項３又は請求項４の発明に加えて、貯蔵室の背面に形成され、蓄冷剤と熱交換した冷気を貯蔵室に供給するための吐出ダクトと、貯蔵室の側面に形成され、貯蔵室内の冷気を蓄冷剤に帰還させるための吸込ダクトとを備えたので、蓄冷剤の融解潜熱によって生じる冷気を貯蔵室の背面に形成された吐出ダクトから貯蔵室内に吐出し、貯蔵室内を循環した冷気を貯蔵室の側面に形成された吸込ダクトから蓄冷剤に帰還させる冷気の循環を行なうことができるようになる。
【００２２】
これにより、吐出ダクトと吸込ダクトが近接して形成される場合と比して、より一層貯蔵室内に均一に冷気を充満させることができるようになる。
【発明の実施の形態】
【００２３】
以下、本発明の冷却貯蔵庫Ｒについて図１を参照して説明する。図１は本発明の冷却貯蔵庫Ｒの縦断側面図を示している。実施例の冷却貯蔵庫Ｒは、配送ベースにおいて交流電源が接続された状態では、当該交流電源の供給を受けて圧縮機を運転し、蓄冷剤を凍結させる蓄冷運転を行うと共に、食品などの物品を収納後、交流電源が切断された状態でトラックなどの配送車の荷台に積載され、当該配送中は蓄冷剤の融解潜熱によって冷却された冷気を貯蔵室に循環させて冷却する保冷運転を行う物流用冷却貯蔵庫である。
【００２４】
この冷却貯蔵庫Ｒは前面に開口する断熱箱体１から成り、この断熱箱体１内には物品を貯蔵するための貯蔵室２が形成されると共に、この貯蔵室２の前面には開閉を行うための扉１５が設けられており、断熱箱体１下方には機械室３が構成されている。尚、冷却貯蔵庫Ｒの下面四隅には移動用の車輪４・・・が取り付けられている。
【００２５】
また、貯蔵室２内には、貯蔵室２内を上下に区画形成するための断熱板によって構成される仕切板５が着脱自在に取り付けられる。これにより、仕切板５の上方には、上貯蔵室２Ａが形成されると共に、仕切板５の下方には下貯蔵室２Ｂが形成される。また、上貯蔵室２Ａ及び下貯蔵室２Ｂのそれぞれには温度を検出するための温度センサ２２Ａ、２２Ｂが設けられており、この温度センサ２２Ａ、２２Ｂは図示しない制御装置に接続されている。そして、この仕切板５は図２及び図３に示す如く貯蔵室２の内壁及び後述するダクト板７に取り付けられた断面略Ｌ字状の取付具６の上面に載置することにより保持される。
【００２６】
前記ダクト板７に取り付けられた取付具６の上方には、仕切板５の有無を検知するための仕切板検出手段として、検出スイッチ８が設けられている。この検出スイッチ８は、図示しない制御手段に接続されている。この検出スイッチ８は、仕切板５が取り付けられていない状態では前方に突出しており、図３に示す如く仕切板５が取付具６に載置されることによって、検出スイッチ８の後方に押圧され、仕切板５を検出するものである。
【００２７】
また、貯蔵室２の背面には、断熱箱体１との間隔を存して前記ダクト板７が取り付けられており、このダクト板７と断熱箱体１間には後部ダクト９が構成される。この後部ダクト９は、図４及び図５に示す如く仕切板１０、１０がそれぞれ上下に延在して左右に設けられている。そして、この後部ダクト９の仕切板１０、１０との間には、吐出ダクト１１が形成されており、前記上貯蔵室２Ａ及び下貯蔵室２Ｂにそれぞれの上部に対応して送風機１２Ａ、１２Ｂが設けられている。この送風機１２Ａ、１２Ｂはそれぞれ前記機械室３内に設置されたバッテリ２５によって運転されるものとする。
【００２８】
更に、吐出ダクト１１の左右には、前記仕切板１０、１０を介して吸込ダクト１３、１３が形成されている。ダクト板７には、この吸込ダクト１３、１３の前記上貯蔵室２Ａ及び下貯蔵室２Ｂにそれぞれの上部に対応して複数の吸込口１４が穿設されている。
【００２９】
そして、下貯蔵室２Ｂの底面には断熱箱体１の底面と所定間隔を存して断熱仕切板１６が架設され、これによって、断熱箱体１の下部には貯蔵室２と区画された蓄冷室１７が構成される。この蓄冷室１７内には平板状の蓄冷剤１８が左右にわたってそれぞれ間隔を存して複数設けられている。また、これらの蓄冷剤１８内には機械室３内に設置された圧縮機１９、凝縮器２３、凝縮器用送風機２４と共に冷却装置を構成する冷却器２０によって冷却される。
【００３０】
蓄冷室１７の後端には、後ガイド２１が形成されており、蓄冷剤１８間の隙間は全て前記後部ダクト９の吐出ダクト１１と連通されると共に、両端に位置する蓄冷剤１８の外方が前記後部ダクト９の左右に形成された吸込ダクト１３、１３とそれぞれ連通される。
【００３１】
一方、前記制御装置には、上貯蔵室２Ａの温度を検出する温度センサ２２Ａと、下貯蔵室２Ｂの温度を検出する温度センサ２２Ｂと、前記仕切板５の検出スイッチ８が接続されており、これらの出力を元に送風機１２Ａ及び１２Ｂが制御される。また、冷却貯蔵庫１には、図示しないコントロールパネルが設けられており、上貯蔵室２Ａや下貯蔵室２Ｂの温度を設定することができる。
【００３２】
以上の構成で、冷却貯蔵庫Ｒは、配送ベースにおいて交流電源が接続された状態で、交流電源の供給を受けて前記圧縮機１９を運転し、蓄冷剤１８を凍結させる。そして、冷却貯蔵庫Ｒ内に食品などの物品を収納後、交流電源が切断された状態でトラックなどの配送車の荷台に積載され、当該配送中は蓄冷剤の融解潜熱によって冷却された冷気を貯蔵室２に循環させて冷却を行う。
【００３３】
このとき、予め使用者が貯蔵室２内を例えば冷凍及び冷蔵とする場合には、前記仕切板５を取付具６に設置し、前記コントロールパネルによって、例えば上貯蔵室２Ａを冷蔵の温度帯に設定し、下貯蔵室２Ｂを冷凍の温度帯に設定する。これにより、図示しない制御装置によって送風機１２Ａ及び１２Ｂの運転が制御される。
【００３４】
ここで、図４及び図５を参照して冷気の流れを説明する。図４は冷却貯蔵庫Ｒの冷気の流れを説明するための構造説明図、図５は蓄冷室１７内の平断面図を示している。前記制御装置により上貯蔵室２Ａ及び下貯蔵室２Ｂの送風機１２Ａ及び１２Ｂがそれぞれ運転されると、蓄冷室１７内にて予め冷却された蓄冷剤１８の融解潜熱によって冷却された冷気は、送風機１２Ａ及び１２Ｂによって吐出ダクト１１内を上昇した後、それぞれの上貯蔵室２Ａ及び下貯蔵室２Ｂ内に冷気が吐出される。そして、それぞれの貯蔵室２Ａ、２Ｂ内を滞留した冷気はそれぞれ吸込口１４より吸込ダクト１３内に吸い込まれた後、蓄冷室１７内に帰還する。蓄冷室１７内に帰還した冷気は、両端に位置する蓄冷剤１８の外方を通過した後、それぞれの蓄冷剤１８の間を通過して、ここで冷却された後、前述と同様に吐出ダクト１１に吸い込まれる。
【００３５】
このとき、それぞれの貯蔵室２Ａ及び２Ｂは、貯蔵室２Ａ及び２Ｂ内に設けられた温度センサ２２Ａ及び２２Ｂによって温度が検出され、これにより、制御装置によって貯蔵室２Ａ及び２Ｂ内の温度が制御される。尚、本実施例では、上貯蔵室２Ａは冷蔵の温度帯に設定され、下貯蔵室２Ｂは冷凍の温度帯に設定されているが、逆に上貯蔵室２Ａを冷凍の温度帯として下貯蔵室２Ｂを冷蔵の温度帯としても良い。また、両貯蔵室２Ａ及び２Ｂを同じ温度帯としても良い。
【００３６】
ここで、貯蔵室２内を一つの温度帯で貯蔵室２内を拡張して使用する場合には、前記仕切板５を取り外せば良い。このとき、制御装置には、仕切板５の検出スイッチ８が設けられているため、仕切板５が取り付けられていない場合には、制御装置は、予め設定された温度センサ２２Ａ又は２２Ｂのどちらか一方の温度センサを用いて貯蔵室２内の冷却を制御する。この場合、送風機１２Ａ及び１２Ｂは、両者運転しても良いが、一方のみを運転して冷却制御を行っても良い。また、温度センサ２２Ａ及び２２Ｂの両者の検出温度によってそれぞれの送風機１２及び１２Ｂの運転を制御しても良い。
【００３７】
以上の構成により、本発明の冷却貯蔵庫Ｒは、使用者の使用目的に応じて貯蔵室２内を２つの貯蔵室２Ａ及び２Ｂに区画することにより、１台の冷却貯蔵庫Ｒにて、例えば冷凍及び冷蔵の両者の冷却温度帯を形成することができる。
【００３８】
これにより、物品の配送時において物品が少量であるにも係わらず冷凍及び冷蔵の両者の物品がある場合に、冷凍専用及び冷蔵専用の二台の冷却貯蔵庫を要することなく一台の冷却貯蔵庫にて両者の物品を収容することができるようになり、トラックなどへの搭載台数を減少させることができるようになる。
【００３９】
また、仕切板５を取り外すことによって貯蔵室２内を拡張することができ、繁忙期などの一方の温度帯の物品のみを収容する場合にも冷蔵専用又は冷凍専用の冷却貯蔵庫を用いることなく、使用目的に応じた温度帯の貯蔵室を形成することができるようになる。
【００４０】
次ぎに、図６を参照して他の実施例の冷却貯蔵庫を説明する。本実施例の冷却貯蔵庫は、上記実施例における貯蔵室２の背面には、断熱箱体１と間隔を存してダクト板３０が取り付けられており、このダクト板３０と断熱箱体１間には吐出ダクト３２が構成される。前記上貯蔵室２Ａ及び下貯蔵室２Ｂにそれぞれの上部に対応して図示しない送風機が設けられている。そして、貯蔵室２の両側面には、同じく断熱箱体１と間隔を存してダクト板３１、３１が取り付けられており、このダクト板３１、３１と断熱箱体１間には吸込ダクト３３、３３が構成される。そして、ダクト板３１、３１には、この吸込ダクト３３、３３の前記上貯蔵室２Ａ及び下貯蔵室２Ｂにそれぞれの上部に対応して複数の図示しない吸込口が穿設されている。
【００４１】
そして、上記実施例と同様に蓄冷室１７の後端には、後ガイド３４が形成されており、蓄冷剤１８間の隙間は全て前記吐出ダクト３２と連通されると共に、両端に位置する蓄冷剤１８の外方が前記吸込ダクト３３、３３とそれぞれ連通される。
【００４２】
以上の構成で、貯蔵室２内の冷気の流れを図６を参照して説明する。上記実施例と同様に制御装置により上貯蔵室２Ａ及び下貯蔵室２Ｂの送風機がそれぞれ運転されると、蓄冷室１７内にて予め冷却された蓄冷剤１８の融解潜熱によって冷却された冷気は、送風機によって吐出ダクト３２内を上昇した後、それぞれの上貯蔵室２Ａ及び下貯蔵室２Ｂ内に冷気が吐出される。そして、それぞれの貯蔵室２Ａ、２Ｂ内を滞留した冷気はそれぞれ吸込口より吸込ダクト３３内に吸い込まれた後、蓄冷室１７内に帰還する。蓄冷室１７内に帰還した冷気は、それぞれの蓄冷剤１８の間を通過して、ここで冷却された後、前述と同様に吐出ダクト３２に吸い込まれる。
【００４３】
以上の構成により、吐出ダクト３２と吸込ダクト３３が近接して形成される場合と比して、より一層貯蔵室内に均一に冷気を充満させることができるようになる。
【００４４】
【発明の効果】
以上詳述した如く本発明によれば、断熱箱体内に貯蔵室を構成し、蓄冷剤の融解潜熱によって貯蔵室内を冷却して成る冷却貯蔵庫において、貯蔵室内を複数室に区画する着脱可能な仕切板と、区画された各室それぞれに蓄冷剤にて冷却された冷気を供給するダクトと、各室それぞれの温度を調節する温度調節手段とを備えたので、貯蔵室内に異なる温度帯にて冷却を必要とする収納物を収納することができるようになる。
【００４５】
また、貯蔵室内を複数室に区画する仕切板は着脱可能とされているため、使用目的に応じて仕切板を取り外すことにより、目的の温度帯の室の収納空間を拡張することができるようになる。
【００４６】
請求項２の発明によれば、請求項１の発明に加えて温度調節手段は、仕切板にて区画された各室にそれぞれ冷気を供給するための送風機と、各室の温度をそれぞれ検出する温度検出手段と、これら温度検出手段の出力に基づいて各送風機の運転を制御する制御手段とを備えて構成されているので、各送風機の運転を制御することによって各室を目的の温度に設定することができるようになる。
【００４７】
請求項３の発明によれば、請求項２の発明に加えて仕切板の有無を検出する仕切板検出手段を設け、制御手段は、この仕切板検出手段により検出される仕切板の有無により、制御方式を変更するので、仕切板の有無に応じて各室の温度制御をすることができるようになる。
【００４８】
請求項４の発明によれば、請求項３の発明に加えて制御手段は、仕切板が存在しない場合、何れかの温度検出手段の出力に基づいて貯蔵室内の温度調節を行なうので、貯蔵室内には、一温度帯を形成することができるようになる。
【００４９】
請求項５の発明によれば、請求項１、請求項２、請求項３又は請求項４の発明に加えて、貯蔵室の背面に形成され、蓄冷剤と熱交換した冷気を貯蔵室に供給するための吐出ダクトと、この吐出ダクトに並設され、貯蔵室内の冷気を蓄冷剤に帰還させるための吸込ダクトとを備えたので、蓄冷剤の融解潜熱によって生じる冷気を吐出ダクトから貯蔵室内に吐出し、貯蔵室内を循環した冷気を吸込ダクトから蓄冷剤に帰還させる冷気の循環を行なうことができるようになる。
【００５０】
これにより、各室に設けられた送風機の運転を制御することによって吐出ダクトから吐出される冷気が制御され、各室をそれぞれの設定の温度帯にすることができるようになる。
【００５１】
請求項６の発明によれば、請求項１、請求項２、請求項３又は請求項４の発明に加えて、貯蔵室の背面に形成され、蓄冷剤と熱交換した冷気を貯蔵室に供給するための吐出ダクトと、貯蔵室の側面に形成され、貯蔵室内の冷気を蓄冷剤に帰還させるための吸込ダクトとを備えたので、蓄冷剤の融解潜熱によって生じる冷気を貯蔵室の背面に形成された吐出ダクトから貯蔵室内に吐出し、貯蔵室内を循環した冷気を貯蔵室の側面に形成された吸込ダクトから蓄冷剤に帰還させる冷気の循環を行なうことができるようになる。
【００５２】
これにより、吐出ダクトと吸込ダクトが近接して形成される場合と比して、より一層貯蔵室内に均一に冷気を充満させることができるようになる。
【図面の簡単な説明】
【図１】  本発明の冷却貯蔵庫の縦断側面図である。
【図２】  図１の冷却貯蔵庫の仕切板の載置前状態を示す拡大説明図である。
【図３】  図２の仕切板の載置状態を示す拡大説明図である。
【図４】  図１の冷却貯蔵庫の冷気の流れを示す構造説明図である。
【図５】  図１の冷却貯蔵庫の蓄冷室の平断面図である。
【図６】  他の実施例の冷却貯蔵庫の蓄冷室の平断面図である。
【符号の説明】
Ｒ  冷却貯蔵庫
１  断熱箱体
２  貯蔵室
２Ａ  上貯蔵室
２Ｂ  下貯蔵室
３  機械室
４  車輪
５  仕切板
６  取付具
７、３０、３１  ダクト板
８  検出スイッチ
９  後部ダクト
１０  仕切板
１１、３２  吐出ダクト
１２Ａ、１２Ｂ  送風機
１３、３３  吸込ダクト
１４  吸込口
１６  断熱仕切板
１７  蓄冷室
１８  蓄冷剤
２１、３４  後ガイド
２２Ａ、２２Ｂ  温度センサ
【図１】
0003948876.tif 000002
【図２】
0003948876.tif 000003
【図３】
0003948876.tif 000004
【図４】
0003948876.tif 000005
【図５】
0003948876.tif 000006
【図６】
0003948876.tif 000007